(57)【要約】【課題】  従来の装身具用中留構造の有していた課題を解決することにある。【解決手段】  下板２０と中板３０と上箱５０からなる装身具バンドの中留構造１０であって、下板２０に設けられた係止用突起部２１を係止するための中箱４０を、中板３０と上箱５０の間に回動自在に介在させてなることを特徴とするものである。【選択図】  図１
2008061842.tif 000002
【特許請求の範囲】
【請求項１】
下板と中板と上箱からなる装身具バンドの中留構造であって、
下板に設けられた係止用突起部を係止するための中箱を、中板と上箱の間に回動自在に介在させてなることを特徴とする装身具バンドの中留構造。
【請求項２】
中箱は、互いに交差して係止用突起部を係止する係止部を有する一対の反発する係止片と、中板と連結するための中板用連結部と、上箱と連結するための中板用連結部とを備えたことを特徴とする請求項１記載の装身具バンドの中留構造。
【請求項３】
上箱が、皮革バンドの尾錠孔に挿入するツク棒を備えた皮革用上箱であることを特徴とする請求項１又は２記載の装身具バンドの中留構造。
【請求項４】
上箱が、金属バンドと連結可能な連結孔を備えた金属用上箱であることを特徴とする請求項１又は２記載の装身具バンドの中留構造。
【請求項５】
時計バンド用の中留構造であることを特徴とする請求項１から４のいずれかに記載の装身具バンドの中留構造。
【発明の詳細な説明】
【技術分野】
【０００１】
本発明は、下板と中板と上箱からなる装身具バンドの中留構造に関するものである。
【背景技術】
【０００２】
従来、下板と中板と上箱からなる装身具バンドの中留構造には、特許文献１に開示されたものがある。特許文献１の中留構造は、図５に示すように、下板（下板部材８）と中板（中板部材１４）と上箱（枠部材２８）とを備えた中留構造１であって、プッシュボタンケース本体２４が、中板（中板部材１４）と上箱（挿通枠１８）の間に位置し、中板（中板部材１４）の他方の端部に、折り畳み可能に連結されている。そして、下板（下板部材８）の係止ピン３が、プッシュボタンケース本体２４に係止する構造となっている。
【０００３】
【特許文献１】特開２００６−１１５９９２号公報
【発明の開示】
【発明が解決しようとする課題】
【０００４】
しかし、上記した特許文献１に記載の中留構造には、以下のような課題を有している。
（１）図６に示すように、下板と中板と上箱を開いた状態で、中板（中板部材１４）の角がバンドに当たるため、バンドを傷めやすい。
（２）プッシュボタンケース本体２４は、調整ピン（ツク棒）３０がプッシュボタンケース本体２４に設けられた係合窪み部（凹部）１５に弱い力で喰い付く構造となっているため、調整ピン（ツク棒）３０の長さを長くしなければならず、バンド部材（皮革バンド）４を枠部材（上箱）２８に通す際に、厚さのあるバンドは通しづらく、また、バンドを傷めやすい。
【課題を解決するための手段】
【０００５】
そこで、本発明は、上記課題を解決することを目的としたものである。
第１の発明は、下板と中板と上箱からなる装身具バンドの中留構造であって、下板に設けられた係止用突起部を係止するための中箱を、中板と上箱の間に回動自在に介在させてなることを特徴とするものである。
第２の発明は、中箱は、互いに交差して係止用突起部を係止する係止部を有する一対の反発する係止片と、中板と連結するための中板用連結部と、上箱と連結するための中板用連結部とを備えたことを特徴とするものである。
第３の発明は、上箱が、皮革バンドの尾錠孔に挿入するツク棒を備えた皮革用上箱であることを特徴とするものである。
第４の発明は、上箱が、金属バンドと連結可能な連結孔を備えた金属用上箱であることを特徴とするものである。
第５の発明は、時計バンド用の中留構造であることを特徴とするものである。
【発明の効果】
【０００６】
本発明によれば、以下のような効果を有する。
（１）本発明は、中板と上箱の間に中箱を回動自在に介在させているので、下板と中板と上箱を開いた状態で、中板の角がバンドに当たらず、バンドを傷めることがない。
（２）下板と中板と上箱を開いた状態において、中箱の両端が固定されているので（一端側は中板に、他端側は上箱にそれぞれ固定されている）、非常に安定性があり、また、拳などを通す際に障害とならず、さらに、中箱分だけ大きく開くので拳などを通すスペースに余裕ができる。
【発明を実施するための最良の形態】
【０００７】
本発明の実施形態を図面に基づいて説明する。
図１および図２は、皮革バンドの中留構造を示す説明用斜視図である。
まず、中留構造１０は、下板２０と中板３０と中箱４０と上箱５０を備えている。下板２０の一端は、皮革バンド８０と連結部材１１を介して回動自在に連結されており、他端は、中板３０と回動自在に連結されている。また、下板２０には、皮革バンド８０寄りに係止用突起部２１が設けられている。
【０００８】
下板２０と連結する中板３０は、他端を中箱４０と回動自在に連結しており、中箱４０は、さらに上箱５０と回動自在に連結している。従って、下板２０と中板３０と中箱４０と上箱５０はそれぞれ隣り合うように回動自在に連結されている。図２は、特に中板３０と中箱４０と上箱５０の連結状態を示したものである。また、上箱５０は、皮革バンド８１の尾錠孔８２，８２，…に挿入するツク棒５１を備え、皮革バンド８１と長さ調整を可能にしながら接続する。
【０００９】
そして、下板２０と中板３０が折り畳まれた状態において、下板２０の係止用突起部２１が、中箱４０と係止することで、皮革バンド８０，８１を手首等の装着部位に装着することになる。ここで、中箱４０は、同種の中留構造に一般的に用いられているプッシュ式の中箱であり、互いに交差して係止用突起部を係止する係止部を有する一対の反発する係止片を備えたものであり、その係止片の端部がプッシュボタン４１，４１を形成する。
【００１０】
図３は、中留構造１０の開いた状態を示す説明図である。図３に示すように、中板３０と上箱５０の間に中箱４０を介在させることで、中板３０の角が皮革バンド８１に当たらず、皮革バンド８１を傷めることがない。また、中箱４０の両端がそれぞれ中板３０と上箱５０に固定されているので、非常に安定性があり、また、拳などを通す際に障害とならず、さらに、中箱４０の分だけ大きく開くので拳などを通すスペースに余裕ができる。
【００１１】
図４は、金属バンドの中留構造を示す説明用斜視図である。
図１ないし図３は、皮革バンドの中留構造であったが、上箱５５を金属バンド８６と接続可能なものとし、下板２０を金属バンド８５と連結部材１１を介して回動自在に連結することで、金属バンドにも対応した中留構造１５を提供できる。なお、金属バンドの中留構造１５においても、図３で示した皮革バンドの中留構造１０と同様の効果を有する。
【産業上の利用可能性】
【００１２】
本発明は、装身具バンドの中留構造に広く利用できるものであり、例えば、時計バンドやリストバンド、腰ベルトなど、その他装身具のバンドに該当するものについては、広く利用できるものである。
【図面の簡単な説明】
【００１３】
【図１】皮革バンドの中留構造を示す説明用斜視図（全体図）。
【図２】皮革バンドの中留構造を示す説明用斜視図（部分図）。
【図３】中留構造の開いた状態を示す説明図。
【図４】金属バンドの中留構造を示す説明用斜視図（全体図）。
【図５】従来例（特許文献１）を示す斜視図。
【図６】従来例（特許文献１）の課題を示す説明図。
【符号の説明】
【００１４】
１０  中留構造（皮革バンド用）  １１  連結部材  １５  中留構造（金属バンド用）
２０  下板    ２１  係止用突起部
３０  中板
４０  中箱    ４１  プッシュボタン
５０  上箱（皮革用上箱）    ５１  ツク棒      ５５  上箱（金属用上箱）
８０，８１  皮革バンド      ８２  尾錠孔      ８５，８６  金属バンド
【図１】
2008061842.tif 000003
【図２】
2008061842.tif 000004
【図３】
2008061842.tif 000005
【図４】
2008061842.tif 000006
【図５】
2008061842.tif 000007
【図６】
2008061842.tif 000008